(57)【要約】【課題】  ゲートバー開閉作動用のバランスウエイトに起因する人身事故等の発生を防止できると共に、バランススプリングによるゲートバーのバランス調整を止めることによって、装置本体のコンパクト化と、経年変化によるバランス調整の狂いの発生を防止することを可能にしたゲートバー用開閉作動装置を提供する。【解決手段】  装置本体の上部に設けた作動軸本体２０を回動することにより、ゲートバー４０を開閉作動するゲートバー用開閉装置において、上記の作動軸本体２０を、中心部に作動軸部２３を設け、その周囲にリム部２３Ｔを設け、作動軸部２３とリム部２３Ｔの間に複数のバランス調整穴２８を設けて、ゲートバー４０の回動バランスを調整可能にする。【選択図】    図１
2006090005.tif 000002
【特許請求の範囲】
【請求項１】
モータの回転を減速機及び駆動伝達手段を介して伝達することにより、装置本体内の上部に設けた作動軸本体を回動して、この作動軸本体に取付けたゲートバーを開閉回動するように構成したゲートバー用開閉作動装置であって、
上記の作動軸本体を、全体が略円盤状を成す本体素材の中心部横方向に作動軸部を設け、この作動軸部の外周部をリム部と成し、これ等作動軸部とリム部との間には、作動軸部を中心にして円周方向に間隔をあけて複数のバランス調整穴を、該作動軸部に対して平行に、且つ、横向きに凹設して、これ等各バランス調整穴内にはゲートバーの回動バランスを調整するバランサーを設けると共に、上記リム部には上記のゲートバーを取付けるための取付穴を設けた構成にする一方、
上記リム部に取付けられて開閉回動されるゲートバーの回動範囲を最大で約１８０度に設定し、上記装置本体の上側部をカバーするカバー体には、この約１８０度の回動範囲に渡って上記リム部の上側面を外部に露出させて、上記ゲートバーの開閉回動を可能にする開口部を設けたことを特徴とするゲートバー用開閉作動装置。
【請求項２】
前記開口部を設けたカバー体の面と、この開口部から露出するリム部の上側面とが面一となるように構成したことを特徴とする請求項１に記載のゲートバー用開閉作動装置。
【請求項３】
前記作動軸部を中心に円周方向に間隔をあけて設ける各バランス調整穴間の仕切りを、作動軸部を中心に放射方向に設けたリブ壁によって夫々仕切るように構成したことを特徴とする請求項１に記載のゲートバー用開閉作動装置。
【請求項４】
全体を略円盤状に形成した本体素材の一側面より、中心部に作動軸部を残し、且つ、この作動軸部を中心に円周方向に間隔をあけた状態で複数個のバランス調整穴を、夫々両側に作動軸部を中心に放射状に延びるリブ壁を残し、且つ、各穴の中心部に支柱体を残した状態で凹設することによって、一側面が開口され、中心部に作動軸部を設け、この作動軸部の一端に円盤状の支持部を連設し、該支持部の外周部に作動軸部を囲んだ状態のリム部を連設すると共に、リム部と作動軸部の間に両側がリブ壁によって仕切られ、且つ、中心部にバランサーと成る支持柱が立設されたバランス調整穴を円周方向に間隔的に設けた構造の作動軸本体を一体に構成したことを特徴とする請求項１、２又は３に記載のゲートバー用開閉作動装置。
【請求項５】
作動軸本体の各バランス調整穴内に設けたバランサーとなる支柱体の先端部に、バランス調整用の追加バランスウエイトを取付自在に構成したことを特徴とする請求項４に記載のゲートバー用開閉作動装置。
【請求項６】
前記リム部の外周面に、リム部の円周方向に沿って複数本の凹溝を並設し、このリム部の上側面を外部に露出させるように設けた前後のカバー板の上部口縁部分には、上記の各凹溝内に係合する複数の凸状片を並べて突設したことを特徴とする請求項１に記載のゲートバー用開閉作動装置。
【発明の詳細な説明】
【技術分野】
【０００１】
本発明は、無人管理の駐車場や、各種公共施設及び会場等の出入口、或いは、踏切等に設置するゲートバーに使用して好適な開閉作動装置に関するものである。
【背景技術】
【０００２】
駐車場等に使用するゲートバー用開閉作動装置に関しては、従来より、例えば特許文献１に見られるように、ゲートバー装置本体に回動自在に横設された回転軸に、先端部にゲートバーを取付けたゲートバー支持台を設けて、回転軸の回動に従ってゲートバー支持台に取付けたゲートバーを上下に開閉作動するように構成したものが存在する。また、上記ゲートバー支持台の基部にはバランスウエイトが設けられていて、ゲートバーの開閉作動がスムーズに行われるようにバランス調整されている。
【特許文献１】実開昭５５−１１７５５２号公報
【発明の開示】
【発明が解決しようとする課題】
【０００３】
しかし、上記特許文献１の図１に記載された従来のゲートバー開閉機は、ゲートバー開閉作動用のバランスウエイトが装置本体の外に露出した状態（突出した状態）で取付けられているため、この部分に人がぶつかったり挟まったりして、非常に危険であった。
【０００４】
更に、上記特許文献１の図２、図３に記載された従来のゲートバー開閉機は、ゲートバーの作動アームとスプリング掛けの間にバランススプリングを張設して、ゲートバーの長さによる重量の変化をこのバランススプリングを伸縮させて調整するため、バランススプリングの長さ分だけ装置本体が大型化する問題と、経年変化によるバランススプリングの弾性牽引力の変化により、バランス調整に狂いが生じてゲートバーの開閉に影響が生じる問題があった。
【０００５】
そこで本発明が解決しようとする技術的課題は、上記ゲートバー開閉作動用のバランスウエイトに起因する人身事故等の発生を防止できると共に、バランススプリングによるゲートバーのバランス調整を止めることによって、装置本体のコンパクト化と、経年変化によるバランス調整の狂いの発生を防止することを可能にしたゲートバー用開閉作動装置を提供することである。
【課題を解決するための手段】
【０００６】
（１）  上記の技術的課題を解決するために、本発明の請求項１に係る発明は、モータの回転を減速機及び駆動伝達手段を介して伝達することにより、装置本体内の上部に設けた作動軸本体を回動して、この作動軸本体に取付けたゲートバーを開閉回動するように構成したゲートバー用開閉作動装置であって、上記の作動軸本体を、全体が略円盤状を成す本体素材の中心部横方向に作動軸部を設け、この作動軸部の外周部をリム部と成し、これ等作動軸部とリム部との間には、作動軸部を中心にして円周方向に間隔をあけて複数のバランス調整穴を、該作動軸部に対して平行に、且つ、横向きに凹設して、これ等各バランス調整穴内にはゲートバーの回動バランスを調整するバランサーを設けると共に、上記リム部には上記のゲートバーを取付けるための取付穴を設けた構成にする一方、上記リム部に取付けられて開閉回動されるゲートバーの回動範囲を最大で約１８０度に設定し、上記装置本体の上側部をカバーするカバー体には、この約１８０度の回動範囲に渡って上記リム部の上側面を外部に露出させて、上記ゲートバーの開閉回動を可能にする開口部を設けたことを特徴としている。
【０００７】
（２）  また、本発明の請求項２に係る発明は、上記請求項１に記載のゲートバー用開閉作動装置において、前記開口部を設けたカバー体の面と、この開口部から露出するリム部の上側面とが面一となるように構成したことを特徴としている。
【０００８】
（３）  また、本発明の請求項３に係る発明は、上記請求項１に記載のゲートバー用開閉作動装置において、前記作動軸部を中心に円周方向に間隔をあけて設ける各バランス調整穴間の仕切りを、作動軸部を中心に放射方向に設けたリブ壁によって夫々仕切るように構成したことを特徴としている。
【０００９】
（４）  また、本発明の請求項４に係る発明は、上記請求項１、２、３に記載のゲートバー用開閉作動装置において、全体を略円盤状に形成した本体素材の一側面より、中心部に作動軸部を残し、且つ、この作動軸部を中心に円周方向に間隔をあけた状態で複数個のバランス調整穴を、夫々両側に作動軸部を中心に放射状に延びるリブ壁を残し、且つ、各穴の中心部に支柱体を残した状態で凹設することによって、一側面が開口され、中心部に作動軸部を設け、この作動軸部の一端に円盤状の支持部を連設し、該支持部の外周部に作動軸部を囲んだ状態のリム部を連設すると共に、リム部と作動軸部の間に両側がリブ壁によって仕切られ、且つ、中心部にバランサーと成る支持柱が立設されたバランス調整穴を円周方向に間隔的に設けた構造の作動軸本体を一体に構成したことを特徴としている。
【００１０】
（５）  また、本発明の請求項５に係る発明は、上記請求項４に記載のゲートバー用開閉作動装置において、作動軸本体の各バランス調整穴内に設けたバランサーとなる支柱体の先端部に、バランス調整用の追加バランスウエイトを取付自在に構成したことを特徴としている。
【００１１】
（６）  また、本発明の請求項６に係る発明は、上記請求項１に記載のゲートバー用開閉作動装置において、前記リム部の外周面に、リム部の円周方向に沿って複数本の凹溝を並設し、このリム部の上側面を外部に露出させるように設けた前後のカバー板の上部口縁部分には、上記の各凹溝内に係合する複数の凸状片を並べて突設したことを特徴としている。
【００１２】
上記（１）〜（６）で述べた本発明に係るゲートバー用開閉作動装置によれば、ゲートバーの開閉作動のバランスを調整するバランサーや、追加用のバランスウエイトを、全て装置本体の内部に設けたり、取付けるよう構成したので、バランサーやバランスウエイトに人がぶつかったり挟まれたりする危険性を無くすことができる。
【００１３】
また、上記のバランサーや追加用のバランスウエイトは、ゲートバーを取付けてこれを開閉作動する作動軸本体に凹設されているバランス調整穴の内部に設けたり、取付けるように構成しているため、バランススプリングの弾性牽引力を利用してバランス調整を行う前記特許文献１に記載の従来製品に比較して、装置全体をコンパクトに、且つ、体裁良く造ることができる。
【００１４】
更に上述した本発明に係る手段によれば、ゲートバーを取付けたリム部の上側面をカバー体に設けた開口部より外部に露出させて、ゲートバーを約１８０度の範囲で開閉回動可能にする一方、この露出したリム部の面と開口部を設けたカバー体の面が面一となるように構成する一方、リム部の周面に並設した複数本の凹溝の夫々に、前後のカバー板の上縁に複数並設した突状片を夫々係合させているため、ゲートバーの開閉作動時に、リブ部の面とカバー体の開口部の縁との間や、カバー板との間に手や衣服等が挟み込まれてしまう危険性が無く、ゲートバーを安全に開閉作動することを可能にする。
【発明の効果】
【００１５】
以上述べた次第で、本発明に係るゲートバー用開閉作動装置によれば、高い安全性と斬新で優れた意匠性を備えたコンパクトなゲートバー用開閉作動装置を提供できるものであって、これを駐車場や各種の公共施設或いは各種会場等の出入口、さらには踏切等に設置することによって、従来製品には無い優れた機能性と審美的効果を発揮することができる。
【発明を実施するための最良の形態】
【００１６】
以下に、上述した本発明に係るゲートバー用開閉作動装置の実施の形態を図面と共に説明すると、図１は本発明の外観を説明した側面図、図２は本発明の内部構造を説明した正断面図、図３はゲートバーを開閉作動する駆動部の構成を説明した側面図であって、図１において、符号１で全体的に示したのは本発明に係るゲートバー用開閉作動装置で、２は本体カバー、３は上面側を半円状に丸みを持たせた形状に造った上部カバー体、４は本体カバー２内に設けた防水型制御ボックス、５は例えば車両検知器や料金精算機といった外部機器との接続に用いるケーブル、４０は上部カバー体３内に設けた作動軸部２３の回転に従って、最大で１８０°の範囲で開閉作動を行うゲートバーを示す。
【００１７】
次に、図２において１０は前記本体カバー２の背面側に設けた装置全体を支持する支柱形鋼材、１０Ｔはベースチャンネルを示す。また、符号２０で全体的に示したのは、前記上部ケース体３内に設けた本発明の要部を構成する例えばアルミダイカスト製の作動軸本体で、この作動軸本体２０の全体は肉厚の略円盤状に形成されている。
【００１８】
図４の（Ａ）は上記アルミダイカスト製作動軸本体２０の正面図、（Ｂ）はその左側面図、（Ｃ）はその右側面図、（Ｄ）は（Ｂ）のＸ−Ｘ線に沿った断面図であって、この作動軸本体２０は図示したように中心部横方向に設けた作動軸部２３と、この作動軸部２３の周囲を囲むように円周方向に間隔をあけて凹設した複数のバランス調整穴２８…と、これ等各バランス調整穴２８…の外側を囲むように設けたリム部２３Ｔと、上記各バランス調整穴２８…の間を仕切るために、上記作動軸部２３を中心に放射状に設けた複数本のリブ壁２５…と、各バランス調整穴２８の内部中心に設けたバランス調整用のバランサーとなる支柱体２７…と、上記作動軸本体２０の一側面に設けられていて、上述した作動軸部２３とリム部２３Ｔと各リブ壁２５…及び各支柱体２７…を、片持ち式に一体に連設した円盤状の支持部２３Ａと、によって構成されている。
【００１９】
以上の如く構成された作動軸本体２０を造るには、前記請求項４に記載されているように、全体を略円盤状に形成した本体素材（例えばアルミ材）の一側面より、中心部に作動軸部２３を残し、且つ、この作動軸部２３を中心に円周方向に間隔をあけた状態で複数個のバランス調整穴２８…を、夫々両側に作動軸部２３を中心に放射状に延びるリブ壁２５…を残し、且つ、各穴２８…の中心部に支柱体２７…を残した状態で凹設することによって、一側面が開口され、中心部に作動軸部２３を設け、この作動軸部２３の一端に円盤状の支持部２３Ａを連設し、支持部２３Ａの外周部に作動軸部２３を囲んだ状態のリム部２３Ｔを連設すると共に、リム部２３Ｔと作動軸部２３の間に両側がリブ壁２５によって仕切られ、且つ、中心部にバランサーと成る支持柱２７が立設されたバランス調整穴２８を円周方向に間隔的に設けた構造の作動軸本体２０を、例えばダイカスト機を用いて一体に鋳造することができるように構成されている。
【００２０】
更に図２乃至図４において、２４は上記リム部２３Ｔの一側面に上記中心に設けた作動軸部２３に向けて（半径方向に向けて）設けた上記ゲートバー４０の取付穴であって、上述したバランサーを兼ねる支持柱２７を設けた各バランス調整穴２８…は、図４（Ｂ）に示すように作動軸部２３を挟んでこの取付穴２４が設けられた側とは反対側と上側に位置するように設けられており、加えて、これ等各支持柱２７…の先端部に対して必要に応じて追加バランスウエイト２６…をネジ等を用いて取付けることによって、ゲートバー４０回動バランスを調整する仕組みに成っている。
【００２１】
また、図４において２８Ａは、内部に上記支持柱２７が設けられていない各バランス調整穴２８の内底面の部分、即ち、円盤状の支持部２３Ａの部分に設けた打ち抜き穴で、これ等支持柱２７が設けられていない各バランス調整穴２８…は、実際には作動軸本体２０の軽量化を図るための穴に成っている。更に、図４（Ｂ）において２４Ａは取付穴２４に差し込んだゲートバー４０の根端部の固定に用いる固定軸用の固定穴を示し、また、図２、図４（Ａ）、（Ｄ）において２０Ｘは作動軸本体２０の一側面に設けたプーリ、２０Ａ…と２０Ｂ…は上記リム部２３Ｔの外周面の円周方向で、且つ、その横幅方向に交互に並設した突条部と凹溝を示す。
【００２２】
図５の（Ａ）は上述した作動軸本体２０を回動自在に支持する支持台１３の正面図、（Ｂ）はその平面図、（Ｃ）は同じく側面図であって、この支持台１３は、図２に示すように前述した本体カバー２の背面側に設けた支柱形鋼剤１０の上端部に設けた基板１１上に固定されている。
【００２３】
図５において、１３Ｈは支持台１３の中央に設けた閉口部、１４，１４は支持台１３の左右両側に設けた上記作動軸本体２０用の支持フレームで、作動軸本体２０は中心部に設けた作動軸部２３の両端部をこれ等左右の支持フレーム１４，１４に設けた軸受部１４Ａ，１４Ａに取付けることにより、回転自在に支持されている。
【００２４】
また、１３Ｔ，１３Ｔは上記支持台１３の前後両側に設けたカバー板で、これ等前後のカバー板１３Ｔ，１３Ｔの上縁部には、上記回転自在に支持された作動軸本体２０のリム部２３Ｔに設けた各凹溝２０Ｂ…内に嵌め込むことにより、リム部２３Ｔとカバー板１３Ｔ，１３Ｔ間の隙間をジグザグ状態にして、布や指先等の巻き込みを防止することができる凸状片１３Ｋ…が並設されている。
【００２５】
図６は上記凸状片１３Ｋと凹溝２０Ｂの噛み合わせ状態を示した拡大図、図７は直線的な隙間とジグザグ状態の隙間を対比させた説明図で、図中、Ｚは隙間に巻き込まれる布又は紙を示す。
【００２６】
図２において、１２は上述した基板１１を支持するフレーム、３Ｔは図１に示すように上面側を丸味を持たせて形成した前記上部カバー体３の上面側部分に、上記作動軸本体２０のリム部２３Ｔの上側部が外部に露出するように半円形状に開口形成した開口部であって、前述したゲートバー４０はこの開口部３Ｔに沿って最大で１８０°の範囲で開閉作動を行うことを可能にしている。そして、以上の如くリム部２３Ｔを露出させた開口部３Ｔの縁と、当該リム部２３Ｔの外周面とは面一に形成されていて、開口部３Ｔとリム部２３Ｔとの隙間からの指先や衣類等の巻き込み事故が防止される仕組みに成っている。
【００２７】
また、図２と図３において、６は上記ゲートバー４０の開閉作動を行う駆動源となるモータ、７は減速機、８は駆動プーリ、９はこの駆動プーリ８と前述した作動軸本体２０の一側面に設けたプーリ２０Ｘの間に掛け渡した駆動ベルト、８Ａはテンションローラ、３Ａはこれ等駆動機構をカバーするために設けた駆動部用カバーであって、上記のモータ６は前述した制御ボックス４内に設けられた制御装置（図示省略）によって制御されて、前記ゲートバー４０を開閉回動するように構成されている。
【図面の簡単な説明】
【００２８】
【図１】本発明に係るゲートバー用開閉作動装置の外観を説明した側面図。
【図２】本発明の内部構造を説明した正断面図。
【図３】駆動部の構成を説明した側面図。
【図４】本発明で用いる作動軸本体の構成を説明したものであって、（Ａ）はその正面図、（Ｂ）は左側面図、（Ｃ）は右側面図、（Ｄ）は（Ｂ）のＸ−Ｘ線に沿った断面図。
【図５】図４は示した作動軸本体を支持する支持台の構成を説明したものであって、（Ａ）はその正面図、（Ｂ）は平面図、（Ｃ）は側面図。
【図６】本発明の要部を拡大して示した側面図。
【図７】リム部とカバーの間に生じる隙間の説明図。
【符号の説明】
【００２９】
１            ゲートバー用開閉装置
２            本体カバー
３            上部カバー
３Ｔ          開口部
１３          支持台
１３Ｔ        カバー板
１３Ｋ        凸状片
２０          作動軸本体
２０Ｂ        凹溝
２３          作動軸部
２３Ａ        支持部
２３Ｔ        リム部
２４          取付穴
２５          リブ壁
２６          追加バランスウエイト
２７          支持柱（バランサー）
２８          バランス調整穴
４０          ゲートバー
【図１】
2006090005.tif 000003
【図２】
2006090005.tif 000004
【図３】
2006090005.tif 000005
【図４】
2006090005.tif 000006
【図５】
2006090005.tif 000007
【図６】
2006090005.tif 000008
【図７】
2006090005.tif 000009